(57)【要約】      （修正有）【課題】単純な構造で、大きな形態変化をさせることができ、しかも、形態変化の過程を十分に楽しむことができる形態変化玩具及び形態切換構造を提供する。【解決手段】第１部分１０ａと第２部分１０ｂとが互いに接近した第１形態１ａと、第１形態から第１部分と第２部分とが所定の軸線に沿って互いに離間した第２形態と、第２形態から第２部分が第１部分に対して相対的に所定の軸線を中心に所定角度回転した第３形態と、第３形態から第１部分と第２部分とが所定の軸線に沿って互いに接近した第４形態と、を人為的な操作によって可逆的に取り得るように第１部分と第２部分とが連結部材によって連結され、少なくとも第１形態及び第２形態でそれぞれ基本的玩具形態を取る。【選択図】図３
0003195584.tif 000002
【実用新案登録請求の範囲】
【請求項１】
第１部分と第２部分とが互いに接近した第１形態と、前記第１形態から前記第１部分と前記第２部分とが所定の軸線に沿って互いに離間した第２形態と、前記第２形態から前記第２部分が前記第１部分に対して相対的に前記所定の軸線を中心に所定角度回転した第３形態と、前記第３形態から前記第１部分と前記第２部分とが前記所定の軸線に沿って互いに接近した第４形態と、を人為的な操作によって可逆的に取り得るように前記第１部分と前記第２部分とが連結部材によって連結され、少なくとも前記第１形態及び前記第４形態でそれぞれ基本的玩具形態を取ることを特徴とする形態変化玩具。
【請求項２】
前記第１部分又は前記第２部分は、人為的な操作方向に応じて可逆的に動作する動作部品を備えることを特徴とする請求項１に記載の形態変化玩具。
【請求項３】
前記連結部材は、前記第１部分又は前記第２部分の少なくとも一方に対して当該第１部分及び当該第２部分の接近又は離間の動作の際に前記軸線方向に移動可能に構成され、前記連結部材が前記第１部分又は前記第２部分の少なくとも一方に対して前記軸線方向に移動した際に移動方向に応じて可逆的に前記動作部品を動作させることを特徴とする請求項１に記載の形態変化玩具。
【請求項４】
前記第１部分又は前記第２部分の一方の部分と一体的に回転する押圧部を備え、前記押圧部は、前記第１形態及び前記第２形態のときに第１位置を取り且つ前記第３形態及び前記第４形態のときに第２位置を取り、前記第１部分又は前記第２部分の他方の部分は、当該第１部分及び当該第２部分の接近又は離間の動作に伴って前記第２位置にあるときに前記押圧部によって押圧され且つ前記第１位置にあるときに前記押圧部によって押圧されない被押圧部を備え、押圧の有無に応じて可逆的に前記動作部品を動作させることを特徴とする請求項２に記載の形態変化玩具。
【請求項５】
前記連結部材は、前記所定の軸線を有する軸部を構成し、前記押圧部は前記軸部内に設けられていることを特徴とする請求項４に記載の形態変化玩具。
【請求項６】
前記所定角度として互いに異なる複数の角度が設定され、当該所定角度の複数の角度に応じて前記第３形態として互いに異なる複数の形態を取り得るとともに、当該第３形態の複数の形態に応じて前記第４形態として互いに異なる複数の形態を取り得ることを特徴とする請求項２に記載の形態変化玩具。
【請求項７】
第１部分と第２部分とが互いに接近した第１形態と、前記第１形態から前記第１部分と前記第２部分とが所定の軸線に沿って互いに離間した第２形態と、前記第２形態から前記第２部分が前記第１部分に対して相対的に前記所定の軸線を中心に所定角度回転した第３形態と、前記第３形態から前記第１部分と前記第２部分とが前記所定の軸線に沿って互いに接近した第４形態と、を人為的な操作によって可逆的に取り得るように前記第１部分と前記第２部分とを連結する連結部材を備えることを特徴とする形態切換構造。
【請求項８】
前記第１部分又は前記第２部分の一方の部分と一体的に回転する押圧部を備え、前記押圧部は、前記第１形態及び前記第２形態のときに第１位置を取り且つ前記第３形態及び前記第４形態のときに第２位置を取り、前記第１部分又は前記第２部分の他方の部分は、当該第１部分及び当該第２部分の接近又は離間の動作に伴って前記第２位置にあるときに前記押圧部によって押圧され且つ前記第１位置にあるときに前記押圧部によって押圧されない被押圧部を備え、押圧の有無に応じて可逆的に前記動作部品を動作させることを特徴とする請求項７に記載の形態切換構造。
【考案の詳細な説明】
【技術分野】
【０００１】
本考案は、形態変化玩具及び形態切換構造に関するものである。
【背景技術】
【０００２】
従来、互いに分離形成された胴部と腰部とを可撓性帯部材を介して一定の間隔をおいて接離自在に連係した形態変化ロボット玩具が知られている（例えば、特許文献１参照）。
この形態変化ロボット玩具によれは、胴部と腰部とを接近させた状態ではロボット玩具の形態となりロボット玩具として遊ぶことができ、胴部と腰部とを離間させた状態では乗物玩具の形態となり乗物玩具として遊ぶことができる。
【先行技術文献】
【特許文献】
【０００３】
【特許文献１】実公昭６１−２２６２３号公報
【考案の概要】
【考案が解決しようとする課題】
【０００４】
しかしながら、上記形態変化ロボット玩具は、基本的には、形態変化にあたり胴部と腰部とを接離させるだけなので、大きな形態変化をさせることが難しいともに、形態変化に要するユーザ操作の手数が少ないので、形態変化の過程を十分に楽しむことができなかった。
【０００５】
本考案は、単純な構造で、大きな形態変化をさせることができ、しかも、形態変化の過程を十分に楽しむことができる形態変化玩具及び形態切換構造を提供することを目的としている。
【課題を解決するための手段】
【０００６】
請求項１に記載の形態変化玩具は、
第１部分と第２部分とが互いに接近した第１形態と、前記第１形態から前記第１部分と前記第２部分とが所定の軸線に沿って互いに離間した第２形態と、前記第２形態から前記第２部分が前記第１部分に対して相対的に前記所定の軸線を中心に所定角度回転した第３形態と、前記第３形態から前記第１部分と前記第２部分とが前記所定の軸線に沿って互いに接近した第４形態と、を人為的な操作によって可逆的に取り得るように前記第１部分と前記第２部分とが連結部材によって連結され、少なくとも前記第１形態及び前記第４形態でそれぞれ基本的玩具形態を取ることを特徴とする。
【０００７】
請求項２に記載の形態変化玩具は、請求項１に記載の形態変化玩具であって、前記第１部分又は前記第２部分は、人為的な操作方向に応じて可逆的に動作する動作部品を備えることを特徴とする。
【０００８】
請求項３に記載の形態変化玩具は、請求項１に記載の形態変化玩具であって、前記連結部材は、前記第１部分又は前記第２部分の少なくとも一方に対して当該第１部分及び当該第２部分の接近又は離間の動作の際に前記軸線方向に移動可能に構成され、前記連結部材が前記第１部分又は前記第２部分の少なくとも一方に対して前記軸線方向に移動した際に移動方向に応じて可逆的に前記動作部品を動作させることを特徴とする。
【０００９】
請求項４に記載の形態変化玩具は、請求項２に記載の形態変化玩具であって、前記第１部分又は前記第２部分の一方の部分と一体的に回転する押圧部を備え、前記押圧部は、前記第１形態及び前記第２形態のときに第１位置を取り且つ前記第３形態及び前記第４形態のときに第２位置を取り、前記第１部分又は前記第２部分の他方の部分は、当該第１部分及び当該第２部分の接近又は離間の動作に伴って前記第２位置にあるときに前記押圧部によって押圧され且つ前記第１位置にあるときに前記押圧部によって押圧されない被押圧部を備え、押圧の有無に応じて可逆的に前記動作部品を動作させることを特徴とする。
【００１０】
請求項５に記載の形態変化玩具は、請求項４に記載の形態変化玩具であって、前記連結部材は、前記所定の軸線を有する軸部を構成し、前記押圧部は前記軸部内に設けられていることを特徴とする。
【００１１】
請求項６に記載の形態変化玩具は、請求項２に記載の形態変化玩具であって、前記所定角度として互いに異なる複数の角度が設定され、当該所定角度の複数の角度に応じて前記第３形態として互いに異なる複数の形態を取り得るとともに、当該第３形態の複数の形態に応じて前記第４形態として互いに異なる複数の形態を取り得ることを特徴とする。
【００１２】
請求項７に記載の形態切換構造は、第１部分と第２部分とが互いに接近した第１形態と、前記第１形態から前記第１部分と前記第２部分とが所定の軸線に沿って互いに離間した第２形態と、前記第２形態から前記第２部分が前記第１部分に対して相対的に前記所定の軸線を中心に所定角度回転した第３形態と、前記第３形態から前記第１部分と前記第２部分とが前記所定の軸線に沿って互いに接近した第４形態と、を人為的な操作によって可逆的に取り得るように前記第１部分と前記第２部分とを連結する連結部材を備えることを特徴とする。
【００１３】
請求項８に記載の形態切換構造は、請求項７に記載の形態切換構造であって、前記第１部分又は前記第２部分の一方の部分と一体的に回転する押圧部を備え、前記押圧部は、前記第１形態及び前記第２形態のときに第１位置を取り且つ前記第３形態及び前記第４形態のときに第２位置とを取り、前記第１部分又は前記第２部分の他方の部分は、当該第１部分及び当該第２部分の接近又は離間の動作に伴って前記第２位置にあるときに前記押圧部によって押圧され且つ前記第１位置にあるときに前記押圧部によって押圧されない被押圧部を備え、押圧の有無に応じて可逆的に前記動作部品を動作させることを特徴とする。
【考案の効果】
【００１４】
本考案の形態変化玩具及び形態切換構造によれば、比較的構成が単純であり、操作する毎に形態が少なくとも４回変化するので、形態変化の過程を十分に楽しむことができる。
【図面の簡単な説明】
【００１５】
【図１】本考案に係る形態変化玩具の一実施形態を示したもので、車両玩具の形態を示した斜視図である。
【図２】車両玩具の形態を示した上面図である。
【図３】車両玩具の形態を示した下面図である。
【図４】本実施形態に係る形態変化玩具のロボット玩具の形態を示した正面図である。
【図５】本実施形態に係る形態変化玩具の第２形態を示した図である。
【図６】本実施形態に係る形態変化玩具の第３形態を示した図である。
【図７】芯体及び押圧部を示した斜視図である。
【図８】芯体及び押圧部を示した断面図である。
【図９】腕部動作機構の一の態様を示した図である。
【図１０】腕部動作機構の他の態様を示した図である。
【図１１】頭部動作機構を示した図である。
【図１２】足部動作機構の一の態様を示した図である。
【図１３】足部動作機構の他の態様を示した図である。
【考案を実施するための形態】
【００１６】
以下、本考案の形態変化玩具及び形態切換構造を図面に示した実施の形態に基づいて説明する。
【００１７】
（形態変化玩具の形態変化）
図１は、実施形態の形態変化玩具の車両玩具の形態（第１形態）を示した斜視図、図２は、車両玩具の形態を示した上面図、図３は、車両玩具の形態を示した下面図、図４は、形態変化玩具のロボット玩具の形態（第４形態）を示した平面図である。
この形態変化玩具１００は、第１形態及び第４形態が基本的玩具形態となっている。ここで「基本的玩具形態」とは、その形態で玩具として遊べる形態を言う。すなわち、第１形態が車両玩具１ａの形態、第４形態がロボット玩具１ｂの形態となっている。そして、この形態変化玩具１００は、ユーザの操作によって第１形態と第４形態との間で可逆的に形態を変化できるように構成されている。
【００１８】
先ず、形態変化玩具１００を形態変化させる手順について説明する。
図１及び図２に示す車両玩具１ａの形態は詳細には自動車玩具の形態となっており、ユーザは通常の手押し式自動車玩具と同様に床面上又は地面上で車輪を転動させることにより走行させて遊ぶことができる。
この車両玩具１ａの状態から、車両玩具１ａの前半部分１０ａに対して後半部分１０ｂを車両玩具１ａの前後方向に離間させると、形態変化玩具１００は図５の形態（第２形態）に変化する。この第２形態においては後述のフロント部品１１が車両玩具１ａの前半部分１０ａのフロントフードの表面に対して起立する。このフロント部品１１は、起立状態ではロボット玩具１ｂの形態における足部を構成する（図１３参照）。続いて、第２形態から車両玩具１ａの後半部分１０ｂを前半部分１０ａに対して芯体１４ａの軸線を中心に１８０度回転させると、形態変化玩具１００は図６の形態（第３形態）に変化する。さらに、第３形態から前半部分１０ａを後半部分１０ｂに対して接近させると、形態変化玩具１００は図４の形態（第４形態）となる。
第３形態と第４形態とを比べると、第３形態では芯体１４ａが露出しているのに対して、第４形態では芯体１４ａが後半部分１０ｂに埋没している。また、第３形態ではロボット玩具１ｂの形態の左右の腕部材１２ａ，１２ａの距離が小さいのに対して、第４形態ではロボット玩具１ｂの形態の左右の腕部材１２ａ，１２ａの距離が大きくなっている。さらに、第３形態ではロボット玩具１ｂの形態の頭部１３の顔が下向きなのに対して、第４形態ではロボット玩具１ｂの形態の頭部１３の顔が上がっている。
ここまでは、車両玩具１ａの形態（第１基本的玩具形態）をロボット玩具１ｂの形態（第２基本的玩具形態）に変化させる手順である。逆に、ロボット玩具１ｂの形態（第２基本的玩具形態）を車両玩具１ａの形態（第１基本的玩具形態）に変化させるには、逆の手順で操作すればよい。
以下、この形態変化玩具１００の詳細を説明する。
【００１９】
（形態変化玩具の外観）
形態変化玩具１００の外観を説明すれば次の通りである。
車両玩具１ａの形態の前半部分１０ａの外観は、フロントフード、フロントパネル、フロントフェンダ、前輪及びシャーシの一部から構成されている。この車両玩具１ａの形態の前半部分１０ａは、ロボット玩具１ｂの形態の脚部を構成する。この場合、車両玩具１ａの形態の前半部分１０ａの上面がロボット玩具１ｂの形態の前面となり、車両玩具１ａの形態の前半部分１０ａの下面がロボット玩具１ｂの形態の後面となる。
また、車両玩具１ａの形態の後半部分１０ｂの外観は、フロントガラス、サイドガラス、ルーフ、リアフード、リアフェンダ、リアパネル、後輪及びシャーシの一部から構成されている。この車両玩具１ａの形態の後半部分１０ｂは、ロボット玩具１ｂの形態の胴部、腕部及び頭部を構成する。この場合、車両玩具１ａの形態の後半部分１０ｂの上面がロボット玩具１ｂの形態の後面となり、車両玩具１ａの形態の後半部分１０ｂの下面がロボット玩具１ｂの形態の前面となる。
【００２０】
（連結構造）
図５に示すように、前半部分１０ａと後半部分１０ｂとは連結部材１４によって連結されている。この連結部材１４は、円柱状の芯体１４ａと、角柱状の２つの分岐部１４ｂ，１４ｂと、芯体１４ａと２つの分岐部１４ｂ，１４ｂとを結合させる結合部１４ｃとを備えている。
このうち、芯体１４ａは後半部分１０ｂに連結されている。具体的には、芯体１４ａは、後半部分１０ｂに対して軸線を中心に回転不能で、且つ、後半部分１０ｂに対して軸線方向で出没可能となるように、後半部分１０ｂに抜け止め防止状態で連結されている。この芯体１４ａは、第１形態及び第４形態では後半部分１０ｂに潜り込み、外部に露出しない。一方、この芯体１４ａは第２形態及び第３形態では後半部分１０ｂから突出し、一部が外部に露出する。
また、２つの分岐部１４ｂ，１４ｂは前半部分１０ａに連結されている。具体的には、２つの分岐部１４ｂ，１４ｂは、前半部分１０ａに対して軸線方向で出没可能となるように、前半部分１０ａに抜け止め防止状態で連結されている。この２つの分岐部１４ｂ，１４ｂは、第１形態では前半部分１０ａと後半部分１０ｂとで被覆され、外部に露出しない。一方、この２つの分岐部１４ｂ，１４ｂの車両玩具１ａの形態における上面側は、第２形態、第３形態及び第４形態で結合部１４ｃ側の一部が外部に露出する。そして、この露出部分はロボット玩具１ｂの形態の腿部を構成する。また、結合部１４ｃは、第１形態では前半部分１０ａと後半部分１０ｂとで被覆され、外部に露出しない。そして、この結合部１４ｃは、車両玩具１ａの形態における上面側が第４形態（ロボット玩具１ｂの形態）では外部に露出し、腰部を構成する。
【００２１】
（腕部動作機構）
芯体１４ａは軸筒部（軸部）を構成している。この芯体１４ａは、上述したように、後半部分１０ｂに連結されている。この芯体１４ａは、図７に示すように、結合部１４ｃ側とは反対側の端部が後述のスリット１４０の開口部を除いて閉塞されるとともに、外周には軸線方向に延在し且つ当該端部にまで達するスリット１４０が形成されている。なお、図７において抜け止め防止構造は省略してある。
図７及び図８に示すように、芯体１４ａの中には押圧部１５が挿入されている。この押圧部１５の基端側は上記結合部１４ｃに固定されている。この押圧部１５の先端側は、芯体１４ａの軸線に直交する外形が半月状に形成されている。すなわち、押圧部１５の先端側の上記外形は芯体１４ａの内周半径よりも僅かに小さい曲率半径を有する弧状部１５ａと直線部１５ｂとによって区画されている。そして、前半部分１０ａひいては結合部１４ｃの回転角度によって、上記スリット１４０に弧状部１５ａが臨む第１位置と、上記スリット１４０に直線部１５ｂが臨む第２位置とを取り得るように構成されている。
【００２２】
また、図９及び図１０に示すように、後半部分１０ｂには、前後方向に動作するスライダ１６が配置されている。このスライダ１６はスプリング１７によって前半部分１０ａ側に向けて付勢されている。このスライダ１６には、上記スリット１４０に係合する被押圧部１６ａが形成されている。そして、押圧部１５が第１位置にあるとき（第３形態にあるとき）に、前半部分１０ａが後半部分１０ｂに接近すると、押圧部１５によって被押圧部１６ａがスプリング１７の付勢力に抗して押される（図１０参照）。一方、押圧部１５が第２位置にあるとき（第２形態にあるとき）に、前半部分１０ａが後半部分１０ｂに接近しても、押圧部１５によって被押圧部１６ａは押されない。
このスライダ１６の左右には三角形状の翼状のカム板１８，１８が設けられている。各カム板１８には前半部分１０ａ側に向かうに連れ車両玩具１ａの形態の中心軸から離れるようなカム溝１８ａが形成されている。
一方、後半部分１０ｂには左右の腕部材１２ａ、１２ａが車両玩具１ａの幅方向で互いに接離可能に配置されている。各腕部材１２ａの付け根部にはカムフォロア１２０が設けられ、このカムフォロア１２０は上記カム溝１８ａに係合している。
その結果、押圧部１５によって被押圧部１６ａがスプリング１７の付勢力に抗して押されると、スライダ１６が車両玩具１ａの形態における後方に動作するので、左右の腕部材１２ａ，１２ａが互いに離間する方向に動作する。一方、押圧部１５によって被押圧部１６ａが押されないと、スプリング１７の付勢力によってスライダ１６が車両玩具１ａの形態における前方に動作するので、左右の腕部材１２ａ，１２ａが互いに接近する方向に動作する。
【００２３】
（頭部動作機構）
このスライダ１６には押圧部１６ｂが形成されている。図１１に示すように、この押圧部１６ｂには、軸１３ａを中心に回動可能な頭部１３の摺接部１３ｃが当接している。そして、押圧部１６ｂによって摺接部１３ｃが押されると、頭部１３が一方向に回転するように構成されている。すなわち、押圧部１６ｂは直動カムの原節を構成し、頭部１３は従節を構成する。この頭部１３は押圧されない状態ではスプリング（図示せず）の付勢力によって顔が下方（ロボット玩具１ｂの形態における下方）を向いた状態となる。一方、この頭部１３は押圧された状態ではスプリング（図示せず）の付勢力に抗して顔が上（ロボット玩具１ｂにおける正面）を向いた状態となる。
【００２４】
（足部動作機構）
図１２及び図１３に示すように、フロントパネル及びフロントフードの前端部から構成されるフロント部品１１は、軸１１ａを中心に回動可能に構成されている。また、前半部分１０ａは２つの分岐部１４ｂ，１４ｂに対して車両玩具１ａの形態における前後方向に摺動可能に構成されている。そして、２つの分岐部１４ｂ，１４ｂが前半部分１０ａに完全に嵌まり合った状態では、２つの分岐部１４ｂ，１４ｂの先端に押圧されてフロント部品１１が前半部分１０ａに埋没した状態を取る。一方、２つの分岐部１４ｂ，１４ｂが前半部分１０ａから少し引き出されると、２つの分岐部１４ｂ，１４ｂの先端による押圧が解除されるので、フロント部品１１はスプリング（図示せず）の付勢力によって前半部分１０ａから突出する（図１３参照）。このとき、フロント部品１１の後端に付設された突起１１ｂが車両玩具１ａにおける下面に突出する。この突起１１ｂはロボット玩具１ｂの起立を容易にするためのものであり、フロント部品１１が埋没状態にあるときには、車両玩具１ａのシャーシ内の凹部２０（図３参照）に没する。
【００２５】
（実施形態の効果）
以上のように構成された形態変化玩具１００によれば次のような効果が得られる。
伸張操作、回転操作及び伸縮操作によって、第１形態から第４形態を取るので、形態変化の過程を十分に楽しむことができる。
また、回転操作を伴うので、形態の一部が表裏で反転されることから、単に伸縮させて形態変化を行わせる場合に比べて、形態変化に意外性があり、その分、形態変化を楽しむことができる。
【００２６】
（変形例）
以上、本考案の実施形態について説明したが、本考案は、かかる実施形態に限定されず、その要旨を逸脱しない範囲で、種々の変形が可能であることは言うまでもない。
【００２７】
例えば、上記実施形態では、車両玩具１ａの形態とロボット玩具１ｂの形態との間で形態変化をさせるように構成したが、例えば比較的扁平な動物、生物、仮想生命体、情景物その他から比較的高さのある動物、生物、仮想生命体、情景物その他への形態変化をさせるように構成することができる。
【００２８】
また、上記実施形態では、第１形態及び第３形態を基本的玩具形態としたが、第２形態及び／又は第３形態をも基本的玩具形態とすることができる。この場合、操作毎に動作部品を動作させることが好ましい。
【００２９】
さらに、上記実施形態では、前半部分１０ａと後半部分１０ｂの接近又は離間の動作方向に伴って動作部品を動作させるように構成したが、回転方向に応じて可逆的に動作部品を動作させるように構成してもよい。
【００３０】
また、上記実施形態では、動作部品を動作させるのに、カム機構、スライダ、摺動機構等を用いたが、リンク機構、ラックピニオン機構その他の機構を用いることができるのは勿論である。さらに、操作に伴ってオン、オフされるスイッチを用いて電気的に動作部品を動作させることも可能である。さらに、液晶画面の映像を操作に伴って変化させるものであってもよい。
【００３１】
また、上記実施形態では、芯体（軸部）１４ａの中に押圧部１５を設けたが、軸部に押圧部を構成する突起を設けてもよい。この場合には、前半部分１ａに軸部を固定し後半部分１ｂに対して軸部を回転可能に構成すれば、同様の作用及び効果が得られる。
【符号の説明】
【００３２】
１    形態変化玩具
１ａ    車両玩具
１ｂ    ロボット玩具
１０ａ    前半部分
１０ｂ    後半部分
１５    押圧部
１６    スライダ
１６ｂ    被押圧部
１７    スプリング
【図１】
0003195584.tif 000003
【図２】
0003195584.tif 000004
【図３】
0003195584.tif 000005
【図４】
0003195584.tif 000006
【図５】
0003195584.tif 000007
【図６】
0003195584.tif 000008
【図７】
0003195584.tif 000009
【図８】
0003195584.tif 000010
【図９】
0003195584.tif 000011
【図１０】
0003195584.tif 000012
【図１１】
0003195584.tif 000013
【図１２】
0003195584.tif 000014
【図１３】
0003195584.tif 000015